(57)【要約】【課題】  施工性に優れた建築構造体を提供する。【解決手段】  枠材と、桟材と、端部カバーと、固定具とを備え、枠材は、間隔をおいて対向して配置され、端部に固定具を取り付けてあり、桟材は、枠材間に少なくとも２本取り付けてあり、端部カバーは、固定具を介して枠材間に跨って固定してあり、固定具と端部カバーとの連結部は、枠材と桟材との連結部と同一直線上にある。【選択図】      図１
2019044440.tif 000002
【特許請求の範囲】
【請求項１】
枠材と、桟材と、端部カバーと、固定具とを備え、枠材は、間隔をおいて対向して配置され、端部に固定具を取り付けてあり、桟材は、枠材間に少なくとも２本取り付けてあり、端部カバーは、固定具を介して枠材間に跨って固定してあり、固定具と端部カバーとの連結部は、枠材と桟材との連結部と同一直線上にあることを特徴とする建築構造体。
【発明の詳細な説明】
【技術分野】
【０００１】
本発明は、フェンス等の建築構造体に関する。
【背景技術】
【０００２】
フェンス等の建築構造体は従来、図８（ａ）に示すように、枠材の端部をキャップによって覆っていた。
【発明の概要】
【発明が解決しようとする課題】
【０００３】
しかし、このような建築構造体を傾斜地に施工した場合、図８（ｂ）に示すように、枠材の端部が斜めになり端部が揃わない。枠材の端部を桟材の端部と揃える場合は、別の形状のキャップを用意する必要があった。そのため、平地及び傾斜地の両方において意匠性が良く、すっきりとした納まりのものが求められた。本発明は上記事情を鑑み、施工性に優れた建築構造体を提供することを目的とする。
【課題を解決するための手段】
【０００４】
本発明の建築構造体は、枠材と、桟材と、端部カバーと、固定具とを備え、枠材は、間隔をおいて対向して配置され、端部に固定具を取り付けてあり、桟材は、枠材間に少なくとも２本取り付けてあり、端部カバーは、固定具を介して枠材間に跨って固定してあり、固定具と端部カバーとの連結部は、枠材と桟材との連結部と同一直線上にあることを特徴とする。
【発明の効果】
【０００５】
本発明によれば、端部カバーは、固定具を介して枠材間に跨って固定してあり、固定具と端部カバーとの連結部は、枠材と桟材との連結部と同一直線上にあるため、端部カバーを精度良く固定することができる。また、傾斜地に施工した場合も端部が揃うので納まりが良い。
【図面の簡単な説明】
【０００６】
【図１】第一実施形態の建築構造体であり、（ａ）は端部の正面図、（ｂ）は要部の背面図である。
【図２】（ａ）は図１（ａ）のＡ−Ａ線断面図、（ｂ）は図１（ａ）のＢ−Ｂ線断面図である。
【図３】固定具の三面図であって、（ａ）は平面図、（ｂ）は側面図、（ｃ）は正面図である。
【図４】固定具の枠材への納まりを示す要部の横断面図である。
【図５】第一実施形態の建築構造体を傾斜面に施工した際の図であり、（ａ）は端部の正面図、（ｂ）は要部の背面図である。
【図６】第二実施形態の建築構造体であり、（ａ）は端部の正面図、（ｂ）は要部の背面図である。
【図７】第三実施形態の建築構造体であり、（ａ）は端部の正面図、（ｂ）は要部の背面図である。
【図８】従来の建築構造体を示し、（ａ）は要部の分解斜視図、（ｂ）は端部の正面図である。
【発明を実施するための形態】
【０００７】
以下、本発明の実施の形態を図面に基づいて説明する。
本発明に係る建築構造体９１は、様々な場所において種々の用途に適用可能あるが、ここでは、住宅の敷地境界に設置するフェンスの場合を示す。なお、以下の説明において、左右方向とは、図１（ａ）のように正面視した際の左右方向を示し、前後方向とは、図２（ａ）における上下方向を示す。本発明の建築構造体９１は、複数の面状ユニットＸを左右に連ねたものである。面状ユニットＸは、枠材１，１と桟材２，２によって枠組みされており、支柱５の前面に固定されている。支柱５は断面矩形の中空形材であり、下端部が設置面に埋め込まれて立設してある。
【０００８】
この建築構造体９１の第一実施形態を図１及び図２に示す。面状ユニットＸは、上下の枠材１，１と左右の桟材２，２によって枠組みされ、その内周には上下に複数のルーバー材６を有する。建築構造体９１は、左右に隣接する面状ユニットＸの上下の枠材１，１を連結材（図示を省略）によって連結してある。建築構造体９１の左右の端部には、固定具４を介して枠材１，１間に跨って端部カバー３が固定してあり、端部カバー３が枠材１の小口を覆い隠している。
【０００９】
枠材１は、図２（ｂ）に示すように、面状ユニットＸの外周側に固定具挿入部１０を、内周側にコ字形状の溝部１１を、長手方向に亘って形成してある。上下２つの枠材１，１は溝部１１の開口を対向させ、間隔をおいて互いに平行に配置され、溝部１１には桟材２の端部が収納される。枠材１の左右端部には、固定具４と連結材とを取付けるための取付孔１ａが固定具挿入部１０の後側見付面に設けてある。
【００１０】
桟材２は、図１（ａ）に示すように、枠材１の左右端部にそれぞれ配置される。左右の桟材２，２は互いに平行である。桟材２は断面略Ｈ形状であり、面状ユニットＸの内周側にルーバー材６の端部を収納する溝部２１を有する。桟材２の上下の端部は、枠材１の溝部１１に嵌め込まれてネジ止めされる。上下の枠材１と桟材２との連結部２ａ，２ａは、左右方向の位置が同じであり、左右の桟材２の連結部２ａを結ぶ線Ｌは、枠材１の長手方向に平行である。
【００１１】
上下の枠材１，１と、左右の桟材２，２によって枠組みされた内周側には、上下に複数のルーバー材６が取り付けてある。図２（ｂ）に示すように、隣接するルーバー材６は、上下の端部が重なり合うように配置される。
【００１２】
端部カバー３は、建築構造体９１の左右端部において、固定具４を介して上下の枠材１，１間に跨って鉛直方向に固定される。図１及び２は、正面視右側の端部カバー３を示すが、端部カバー３は左右対称に取り付けられるため、以下では右側について説明し左側の説明は省略する。端部カバー３は断面略コ字形状であり、開口へ枠材１の端部が挿入される。端部カバー３の後側見付面には、端部カバー３と平行なガイドライン３１を長手方向に亘って形成してある。ガイドライン３１は、端部カバー３と固定具４との連結部３ａの位置決めに用いられる。建築構造体９１を正面視又は背面視した際に、端部カバー３と固定具４との連結部３ａは、枠材１と桟材２との連結部２ａと同一直線Ｌ上にある。また、枠材１の溝部１１の後側見付面に、枠材１と平行なガイドライン１２を長手方向に亘って形成すれば、枠材１と桟材２との連結部２ａの位置決めにガイドライン１２を用いることが可能となり、端部カバー３のガイドライン３１と枠材１のガイドライン１２との交点に端部カバー３と固定具４との連結部３ａが位置する。
【００１３】
固定具４は、上下の枠材１，１の端部にそれぞれ１つずつ固定され、上下２つの固定具４，４によって端部カバー３を連結する。固定具４は、図１（ｂ）、図３、及び図４に示すように、枠材１の固定具挿入部１０内へ挿入して固定されるベース部４１と、枠材１から露出して端部カバー３を固定するアーム部４２とからなる。図３（ｃ）のように正面視すると、アーム部４２は、屈曲部４ｃを有する略く字形状であり、屈曲部４ｃを挟んで枠材側のアーム部４２ａと端部カバー側のアーム部４２ｂからなる。固定具４を枠材１に取付けた状態では、枠材側アーム部４２ａは枠材１端部に沿い、端部カバー側アーム部４２ｂは枠材１から離れるように屈曲している。端部カバー側アーム部４２ｂの端部には端部カバー固定部４ｂが形成されている。固定具４を枠材１に取り付けたとき、端部カバー固定部４ｂは、枠材１と桟材２との連結部２ａと同一直線Ｌ上にある。また、上下２つの端部カバー固定部４ｂ，４ｂの左右方向の位置は同じになる。枠材側アーム部４２ａには、枠材１の固定具挿入部１０内へ向かって延びるベース部４１が形成されている。ベース部４１の略中央部及び端部には、建築構造体９１の外周側へ向けて立設する枠材固定部４ａが形成されている。２つの枠材固定部４ａ，４ａは、枠材１に設けた取付孔１ａの位置に対応する。端部カバー固定部４ｂと枠材固定部４ａは、いずれも前後方向にネジを挿通可能なタッピングホールである。アーム部４２の見込寸法は、ベース部よりも長く枠材１の見込寸法と略等しい。そのため、図４に示すように、アーム部４１の見付面が枠材１の見付面と略面一となる。
【００１４】
次に、第一実施形態の建築構造体９１の組立手順を説明する。
まず２本の桟材２，２を、間隔をおいて縦に配置し、その間に複数のルーバー材６を取り付ける。そして、その桟材２とルーバー材６の上下端部に枠材１，１を嵌め込み、ガイドライン１２上において桟材２と枠材１とをネジ止めする。このように組み立てた面状ユニットＸを連結材で連結しながら支柱５の前面に固定する。次いで、固定具４のベース部４１を枠材１の固定具挿入部１０へ挿入し、枠材１に設けた取付孔１ａに枠材固定部４ａを重ね合わせてネジ止めする。端部カバー３は、枠材１を覆うことのできる長さに調整する。端部カバー３の後側見付面には、ガイドライン３１上に設置面の角度に応じて位置決めされた孔を設け、その孔が固定具４との連結部３ａとなる。上下の固定具４，４において、端部カバー固定部４ｂ，４ｂの左右方向の位置は同じになるため、端部カバー３を上下の枠材１，１間に跨るように枠材１の端部へ被せ、連結部３ａにおいて端部カバー固定部４ｂをネジ止めすると、端部カバー３は鉛直方向に枠材１へ固定される。この状態において連結部３ａは、枠材１と桟材２との連結部２ａと同一直線Ｌ上にあり、枠材１のガイドライン１２と端部カバー３のガイドライン３１との交点に位置している。そして、端部カバー３の小口にキャップを取付けることにより、建築構造体９１は完成する。
【００１５】
次に、第一実施形態の建築構造体９１を傾斜面に施工する際の構成について、図５に基づいて説明する。枠材１とルーバー材６は、長手方向端部を桟材２へ回動自在に連結することにより、設置する場所の傾斜角度に応じて傾斜させることができる。平坦面に設置する場合と同様の手順で、２本の桟材２，２を、間隔をおいて縦に平行に配置し、その間に複数のルーバー材６を取り付ける。そして、その上下に枠材１，１を平行に嵌め込み、ガイドライン１２上の連結部２ａにおいて桟材２と枠材１とをネジ止めする。ここで、左右の桟材２，２の位置を上下方向に動かし、枠材１とルーバー材６を設置面と同じ角度に傾斜させる。このように変形させた面状ユニットＸを、連結材によって連結しながら支柱５の前面に固定する。端部カバー３の後側見付面には、ガイドライン３１上に設置面の傾斜角度に応じて位置決めされた孔を設け、その孔が固定具４との連結部３ａとなる。枠材１には固定具４を取り付ける。固定具４を枠材１に取り付けたとき、端部カバー固定部４ｂは、枠材１と桟材２との連結部２ａと同一直線Ｌ上にあるので平坦面に設置する場合と同様、上下の固定具４，４において端部カバー固定部４ｂ，４ｂの左右方向の位置は同じになるため、端部カバー３を枠材１の端部へ被せ、連結部３ａにおいて端部カバー３と固定具４をネジ止めすると、端部カバー３は設置面の傾斜角度に関わらず鉛直方向に取り付けられる。
【００１６】
次に、本発明の建築構造体９２の第二実施形態について、図６に基づいて説明する。第二実施形態の面状ユニットＸは、上下の枠材１，１と左右に複数連接する桟材２を有する。上下の枠材１，１及び左右複数の桟材２はそれぞれ平行である。建築構造体９２の左右の端部には、第一実施形態と同様に、端部カバー３が固定具４を介して枠材１，１間に跨って鉛直方向に固定してあり、枠材１の小口を覆い隠している。固定具４の構成は第一実施形態と同じである。
【００１７】
本発明の建築構造体９３の第三実施形態は、図７に基づいて説明する。第三実施形態の面状ユニットＸは、左右の枠材１，１と上下に複数連接する桟材２を有する。左右の枠材１，１と上下複数の桟材２はそれぞれ平行である。建築構造体９３の上下の端部には、端部カバー３が固定具４を介し左右の枠材１，１間に跨って水平方向に固定してあり、枠材１の小口を覆い隠している。固定具４の構成は第一実施形態と同じであるが、固定具４を枠材１に取り付けたとき、端部カバー固定部４ｂは枠材１と桟材２との連結部２ａと同一直線Ｌ上にあり、左右２つの端部カバー固定部４ｂ，４ｂは設置面と平行な直線上にある。
【００１８】
このように構成した建築構造体９１，９２，９３によれば、端部カバー３は、固定具４を介して枠材１，１間に跨って固定してあり、固定具４と端部カバー３との連結部３ａは、枠材１と桟材２との連結部２ａと同一直線Ｌ上にあるため、端部カバー３を精度良く固定することができる。また、傾斜地に施工した場合も、平坦面と同じ端部カバー３を用いることが可能であり、端部が揃うので意匠性に優れる。
固定具４は、アーム部４２の見込寸法が、ベース部４１よりも長く枠材１の見込寸法と略等しい。そのため、アーム部４１の見付面が枠材１の見付面と略面一となり、端部カバー３が取り付け易い。
枠材１と桟材２はそれぞれ互いに平行であり、取付ける固定具４は全て同じ形状のものを用いる。上下に横方向の枠材１と左右に縦方向の桟材２を組付けた建築構造体９１，９２では、固定具４を枠材１に取り付け、設置面に合わせて枠材１を傾斜させても、端部カバー固定部４ｂは、枠材１と桟材２との連結部２ａと同一直線Ｌ上にあるので、端部カバー固定部４ｂの左右方向の位置は上下の固定具４，４で同じになるため、端部カバー３のガイドライン３１上に設けた連結部３ａにおいて端部カバー３と固定具４をネジ止めすると、常に端部カバー３を鉛直方向に取付けることができる。左右に縦方向の枠材１と上下に横方向の桟材２を組付けた建築構造体９３では、固定具４を枠材１に取り付け、設置面に合わせて桟材２を傾斜させると、端部カバー固定部４ｂの位置は左右の固定具４，４で設置面と平行になるため、常に端部カバー３を設置面と平行に取付けることができる。
【００１９】
本発明は、上記の実施形態に限定されない。例えば、面状ユニットは必ずしも連接させる必要はなく、単体で設置してもよい。また、面状ユニットは上下に連ねてあってもよい。面状ユニットの内周に取り付けられる部材は任意であり、実施形態のようなルーバー材や桟材に限らず、棒状の部材を縦や横に格子状に取り付ける等、どのような部材であってもよい。
【符号の説明】
【００２０】
１        枠材
２        桟材
２ａ      連結部
３        端部カバー
３ａ      連結部
４        固定具
９１      建築構造体（第一実施形態）
９２      建築構造体（第二実施形態）
９３      建築構造体（第三実施形態）
Ｌ        連結部（２ａ，３ａ）が位置する直線
【図１】
2019044440.tif 000003
【図２】
2019044440.tif 000004
【図３】
2019044440.tif 000005
【図４】
2019044440.tif 000006
【図５】
2019044440.tif 000007
【図６】
2019044440.tif 000008
【図７】
2019044440.tif 000009
【図８】
2019044440.tif 000010